(57)【要約】      （修正有）【課題】斜板の傾角が変化したときに、斜板を最大傾角側に付勢するバネに無理な応力が加わることを防止できる可変容量型ピストンポンプを提供する。【解決手段】可変容量型ピストンポンプ１は、シリンダブロック８及び斜板１５を収容すると共に、回転軸３を回転可能に支持するポンプハウジング２と、斜板１５を押圧するコントロールピストン３４と、斜板１５を最大傾角側に付勢するバネ３０と、ポンプハウジング２に設けられたバネ受け凹状部材２４と、斜板１５と当接すると共にバネ受け凹状部材２４に対して摺動可能となるように設けられ、斜板１５と対向する端面の反対側が開放されたバネ内蔵用中空ピストン２７とを備え、バネ３０はバネ内蔵用中空ピストン２７内に収容されており、バネ３０の一端はバネ受け凹状部材２４の底面に当接し、バネ３０の他端はバネ内蔵用中空ピストン２７における開放側とは反対側の内壁面に当接している。【選択図】図１
2016037924.tif 000002
【特許請求の範囲】
【請求項１】
回転軸と一体的に回転するシリンダブロック内のピストンが斜板の傾角に応じたストロークで往復動することで、作動流体の吸入及び吐出を行う可変容量型ピストンポンプにおいて、
前記シリンダブロック及び前記斜板を収容すると共に、前記回転軸を回転可能に支持するハウジングと、
前記斜板を押圧するコントロールピストンを有し、前記斜板の傾角を制御するコントロールピストンユニットと、
前記斜板を最大傾角側に付勢するバネを有する付勢機構とを備え、
前記付勢機構は、前記ハウジングに設けられ、前記バネの一端を受けるバネ受け凹部と、前記斜板に当接すると共に前記バネ受け凹部に対して摺動可能となるように設けられ、前記斜板と対向する端面の反対側が開放された中空摺動部材とを更に有し、
前記バネは、前記中空摺動部材内に収容されており、
前記バネの一端は、前記バネ受け凹部の底面に当接し、前記バネの他端は、前記中空摺動部材における開放側とは反対側の内壁面に当接していることを特徴とする可変容量型ピストンポンプ。
【請求項２】
前記付勢機構は、前記ピストンの上死点側において前記斜板を挟んで前記コントロールピストンの反対側に配置されていることを特徴とする請求項１記載の可変容量型ピストンポンプ。
【請求項３】
前記中空摺動部材には、前記バネ受け凹部に対する前記中空摺動部材の摺動方向に応じて前記中空摺動部材の内外間で前記作動流体を流通させるための流通孔が設けられていることを特徴とする請求項１または２記載の可変容量型ピストンポンプ。
【請求項４】
前記斜板における前記中空摺動部材が当接する部分には、断面略半円形状の突起部が設けられていることを特徴とする請求項１〜３のいずれか一項記載の可変容量型ピストンポンプ。
【請求項５】
前記付勢機構は、前記中空摺動部材が前記バネ受け凹部の底面に当たることで、前記斜板の最小傾角を規制することを特徴とする請求項１〜４のいずれか一項記載の可変容量型ピストンポンプ。
【発明の詳細な説明】
【技術分野】
【０００１】
本発明は、可変容量型ピストンポンプに関する。
【背景技術】
【０００２】
従来の可変容量型ピストンポンプとしては、例えば特許文献１に記載されている技術が知られている。特許文献１に記載の可変容量型ピストンポンプは、フロントハウジング及びリアハウジングの端壁間に回転可能に支持された回転軸と、この回転軸と一体回転するシリンダブロックと、このシリンダブロックの各シリンダボア内に収容された複数のピストンと、ハウジング内に配置された斜板と、各ピストンを介して斜板の後面に押接された複数のシューと、斜板の上部に一体的に突設されたアーム部の後面に押接されたコントロールピストンと、アーム部とフロントハウジングとの間に介在された押圧バネとを備えている。押圧バネのバネ力によって斜板が最大傾角側に付勢される。
【先行技術文献】
【特許文献】
【０００３】
【特許文献１】特開平８−３３４０８１号公報
【発明の概要】
【発明が解決しようとする課題】
【０００４】
ところで、斜板を最大傾角側に付勢するバネを保持する一例として、バネの一端を受ける凹部をハウジングに設けると共に、バネの他端を受ける突起部を斜板に設けることがある。この場合には、斜板の傾角変化によって凹部に対する突起部の上下位置が変わり、これに伴ってバネの斜板側部分の曲がり量及び曲がり方向が変わる。このようにバネには伸縮以外の応力が加わることになるため、バネが破損しやすくなる。
【０００５】
本発明の目的は、斜板の傾角が変化したときに、斜板を最大傾角側に付勢するバネに無理な応力が加わることを防止できる可変容量型ピストンポンプを提供することである。
【課題を解決するための手段】
【０００６】
本発明は、回転軸と一体的に回転するシリンダブロック内のピストンが斜板の傾角に応じたストロークで往復動することで、作動流体の吸入及び吐出を行う可変容量型ピストンポンプにおいて、シリンダブロック及び斜板を収容すると共に、回転軸を回転可能に支持するハウジングと、斜板を押圧するコントロールピストンを有し、斜板の傾角を制御するコントロールピストンユニットと、斜板を最大傾角側に付勢するバネを有する付勢機構とを備え、付勢機構は、ハウジングに設けられ、バネの一端を受けるバネ受け凹部と、斜板に当接すると共にバネ受け凹部に対して摺動可能となるように設けられ、斜板と対向する端面の反対側が開放された中空摺動部材とを更に有し、バネは、中空摺動部材内に収容されており、バネの一端は、バネ受け凹部の底面に当接し、バネの他端は、中空摺動部材における開放側とは反対側の内壁面に当接していることを特徴とする。
【０００７】
このような本発明の可変容量型ピストンポンプにおいては、中空摺動部材内に収容されたバネの付勢力によって斜板がコントロールピストンを押圧すると、斜板の傾角が大きくなり、作動流体によってバネの付勢力に抗してコントロールピストンが斜板を押圧すると、斜板の傾角が小さくなる。ここで、斜板の傾角が変化するときは、中空摺動部材がバネ受け凹部に対して摺動すると共に、中空摺動部材内に収容されたバネが伸縮動作する。このとき、斜板の傾角変化によってバネの斜板側部分が曲がろうとするが、バネの斜板側部分が中空摺動部材で受け止められるため、バネの斜板側部分の曲がりが抑えられる。これにより、斜板の傾角が変化したときに、バネに無理な応力がかかることが防止される。
【０００８】
付勢機構は、ピストンの上死点側において斜板を挟んでコントロールピストンの反対側に配置されていてもよい。この場合には、回転軸に対してコントロールピストンと同じ側であるピストンの上死点側に付勢機構が配置されているため、バネの付勢力による斜板の押圧動作及びバネの付勢力に抗したコントロールピストンの押圧動作が行いやすくなる。
【０００９】
中空摺動部材には、バネ受け凹部に対する中空摺動部材の摺動方向に応じて中空摺動部材の内外間で作動流体を流通させるための流通孔が設けられていてもよい。この場合には、バネ受け凹部に対して中空摺動部材が摺動するときは、流通孔を通って中空摺動部材の内外間で作動流体が移動する。このとき、流通孔の寸法を変えることで、中空摺動部材の摺動速度（応答速度）を調整することができる。
【００１０】
斜板における中空摺動部材が当接する部分には、断面略半円形状の突起部が設けられていてもよい。この場合には、バネの付勢力により中空摺動部材が突起部を介して斜板を押圧する。このとき、突起部の形状が断面略半円形状であるため、突起部の摩耗を低減することができる。
【００１１】
付勢機構は、中空摺動部材がバネ受け凹部の底面に当たることで、斜板の最小傾角を規制してもよい。この場合には、ハンチングを発生させること無くポンプを動作させることができる。
【発明の効果】
【００１２】
本発明によれば、斜板の傾角が変化したときに、斜板を最大傾角側に付勢するバネに無理な応力がかかることを防止できる可変容量型ピストンポンプが提供される。
【図面の簡単な説明】
【００１３】
【図１】本発明に係る可変容量型ピストンポンプの一実施形態を示す概略断面図である。
【図２】図１に示した可変容量型ピストンポンプの一部分の斜視図（断面を含む）である。
【図３】本発明に係る可変容量型ピストンポンプの他の実施形態を示す概略断面図である。
【発明を実施するための形態】
【００１４】
以下、本発明の実施形態について図面を参照して詳細に説明する。なお、図面において、同一または同等の要素には同じ符号を付し、重複する説明を省略する。
【００１５】
図１は、本発明に係る可変容量型ピストンポンプの一実施形態を示す概略断面図である。同図において、本実施形態の可変容量型ピストンポンプ１は、例えばエンジン式のフォークリフトに搭載される油圧ポンプとして使用される。
【００１６】
可変容量型ピストンポンプ１は、ポンプハウジング２と、このポンプハウジング２に回転可能に支持された回転軸３とを備えている。回転軸３は、エンジン（図示せず）により回転駆動される。
【００１７】
ポンプハウジング２は、フロントハウジング４及びメインハウジング５を有している。フロントハウジング４及びメインハウジング５同士は、ボルト（図示せず）により連結されている。なお、本実施形態では、回転軸３の軸方向を可変容量型ピストンポンプ１の前後方向と規定する。そして、フロントハウジング４側を可変容量型ピストンポンプ１の前側とする。回転軸３の前端側部分は、ポンプハウジング２から突出している。メインハウジング５の後端部には、作動油を吸入するための吸入通路６と、作動油を吐出するための吐出通路７とが形成されている。
【００１８】
ポンプハウジング２内には、シリンダブロック８が収容されている。シリンダブロック８の前端側部分には、シリンダブロック８と回転軸３とを一体回転可能にスプライン嵌合する結合部８ａが設けられている。シリンダブロック８における結合部８ａの後側領域と回転軸３との間には、バネ９が介在されている。シリンダブロック８には、複数のシリンダボア１０が同心円上に等間隔で形成されている。各シリンダボア１０内には、ピストン１１が収容されている。
【００１９】
シリンダブロック８とメインハウジング５の後端部との間には、バルブプレート１２が配置されている。バルブプレート１２は、メインハウジング５の後端部の内壁面に固定されていると共に、シリンダブロック８の後端面に摺接している。
【００２０】
バルブプレート１２には、吸入通路６とシリンダボア１０とを連通させる吸入孔１３と、吐出通路７とシリンダボア１０とを連通させる吐出孔１４とが形成されている。これにより、作動油が吸入孔１３からシリンダボア１０内に吸入されると共に、シリンダボア１０内の作動油が吐出孔１４から吐出される。
【００２１】
ポンプハウジング２内におけるシリンダブロック８の前側には、斜板１５がシリンダブロック８に隣接して収容されている。斜板１５は、フロントハウジング４の内壁面に設けられた断面湾曲状の軸受部材１６に摺動可能に支持されている。これにより、斜板１５が傾動可能となる。斜板１５には、回転軸３を貫通させる貫通孔１５ａが形成されている。
【００２２】
斜板１５の後端面（シリンダブロック８と対向する端面）には、複数のシュー１７が密接している。各シュー１７には、シリンダブロック８内のピストン１１の先端部が嵌合している。各シュー１７は、１枚の円環状のリテーナプレート１８に取り付けられている。シリンダブロック８の前側（斜板１５側）における回転軸３の周囲には、リテーナプレート１８に固定されたピボット１９が配置されている。上記のバネ９によりピン（図示せず）を介してピボット１９が前側に押されることで、リテーナプレート１８が前側に押され、これに伴って各シュー１７が斜板１５の後端面に十分に密着する。各ピストン１１は、シリンダブロック８の回転に伴って斜板１５の傾角に応じたストロークで往復動される。
【００２３】
斜板１５の縁部近傍の所定位置には、斜板１５の後側に開口した凹部１５ｂが形成されている。凹部１５ｂには、球状のコロ２０が収容されている。これにより、斜板１５には、後側に突出した断面略半円形状の突起部２１が設けられた構成となっている。斜板１５における突起部２１の内側には、斜板１５の前側に開口した凹部１５ｃが形成されている。凹部１５ｃには、円柱状のコロ２２が収容されている。これにより、斜板１５には、前側に突出した断面略半円形状の突起部２３が設けられた構成となっている。なお、本実施形態では、斜板１５において突起部２１，２３が設けられている側を上側とする。ここで、斜板１５の上側がピストン１１の上死点側となる。
【００２４】
図２にも示されるように、フロントハウジング４における突起部２３に対応する位置の内壁面には、バネ受け凹状部材２４（バネ受け凹部）がネジ２４ａにより取り付けられている。バネ受け凹状部材２４は、後側（斜板１５側）に開口している。バネ受け凹状部材２４は、フロントハウジング４に固定された円形状の固定部２５と、この固定部２５と一体化された円筒部２６とからなっている。固定部２５の内壁面は、バネ受け凹状部材２４の底面を構成し、円筒部２６の内壁面は、バネ受け凹状部材２４の側面を構成している。
【００２５】
バネ受け凹状部材２４内には、バネ内蔵用中空ピストン２７（中空摺動部材）が挿入されている。バネ内蔵用中空ピストン２７は、斜板１５と当接すると共に、バネ受け凹状部材２４の円筒部２６に対して摺動可能である。バネ内蔵用中空ピストン２７は、斜板１５と対向する端面の反対側が開放されるように構成されている。バネ内蔵用中空ピストン２７は、斜板１５の突起部２３と当接する円形状の当接部２８と、この当接部２８と一体化された円筒部２９とからなっている。つまり、斜板１５におけるバネ内蔵用中空ピストン２７が当接する部分には、断面略半円形状の突起部２３が設けられている。バネ内蔵用中空ピストン２７の円筒部２９の外径は、バネ受け凹状部材２４の円筒部２６の外径よりも僅かに小さくなっている。
【００２６】
バネ内蔵用中空ピストン２７内には、斜板１５を最大傾角側に付勢するバネ３０が収容されている（図２では不図示）。バネ受け凹状部材２４は、バネ３０の一端を受ける。つまり、バネ３０の一端は、バネ受け凹状部材２４の固定部２５の内壁面（バネ受け凹状部材２４の底面）に当接している。バネ３０の他端は、バネ内蔵用中空ピストン２７の当接部２８の内壁面（バネ内蔵用中空ピストン２７における開放側とは反対側の内壁面）に当接している。バネ３０は、バネ内蔵用中空ピストン２７を介して斜板１５の上側部分（突起部２３側部分）を後側（シリンダブロック８側）に付勢している。
【００２７】
ここで、バネ受け凹状部材２４、バネ内蔵用中空ピストン２７及びバネ３０は、付勢機構３６を構成している。
【００２８】
当接部２８の中央部には、バネ受け凹状部材２４に対するバネ内蔵用中空ピストン２７の摺動方向に応じてバネ内蔵用中空ピストン２７の内外間で作動油を流通させるための断面円形状の流通孔３１が設けられている。流通孔３１の径は、バネ内蔵用中空ピストン２７の摺動速度（応答速度）に応じて適宜決められている。
【００２９】
バネ３０の付勢力によりバネ内蔵用中空ピストン２７がバネ受け凹状部材２４に対して後側（斜板１５側）に摺動するときは、バネ内蔵用中空ピストン２７の外部に存在する作動油が流通孔３１を通ってバネ内蔵用中空ピストン２７の内部に入り込む。バネ３０の付勢力に抗してバネ内蔵用中空ピストン２７がバネ受け凹状部材２４に対して前側（斜板１５の反対側）に摺動するときは、バネ内蔵用中空ピストン２７の内部に存在する作動油が流通孔３１を通ってバネ内蔵用中空ピストン２７の外部に逃げる。
【００３０】
バネ内蔵用中空ピストン２７の先端（開放端）がバネ受け凹状部材２４の固定部２５の内壁面に当たる状態において、斜板１５が最小傾角となる。即ち、付勢機構３６は、バネ内蔵用中空ピストン２７がバネ受け凹状部材２４の底面に当たることで、斜板１５の最小傾角を規制する。斜板１５の最小傾角は、０度より大きくなるように設定されている。ここでは、荷役要求が無いエンジンのアイドリング状態において、斜板１５が最小傾角となる。
【００３１】
なお、斜板１５の傾角は、回転軸３の軸方向に垂直な上下方向の軸に対する斜板１５の傾き角度のことである。斜板１５の傾角が０度であるときは、斜板１５が回転軸３の軸方向に垂直な上下方向に延びている。そして、斜板１５の上側部分（突起部２３側部分）が回転軸３の軸方向に垂直な上下方向の軸に対して後側（シリンダブロック８側）に傾いているときに、斜板１５の傾角が正（＋）となる。従って、斜板１５が最小傾角にあるときは、斜板１５の上側部分が回転軸３の軸方向に垂直な上下方向の軸に対して後側に傾いている。
【００３２】
また、可変容量型ピストンポンプ１は、斜板１５の傾角を制御することで、可変容量型ピストンポンプ１の吐出量を制御するコントロールピストンユニット３２を備えている。コントロールピストンユニット３２は、シリンダブロック８の上側に配置されている。
【００３３】
コントロールピストンユニット３２は、メインハウジング５の一部を構成するユニット壁部３３を有している。ユニット壁部３３は、略円筒形状を有している。ユニット壁部３３内には、斜板１５を押圧するコントロールピストン３４が配置されている。ユニット壁部３３の底部とコントロールピストン３４との間には、作動油が流入される。
【００３４】
また、コントロールピストンユニット３２は、ポンプハウジング２の外部に配置され、ユニット壁部３３の底部とコントロールピストン３４との間に流入される作動油の流量を制御する制御弁３５を有している。
【００３５】
上記の付勢機構３６は、ピストン１１の上死点側において斜板１５を挟んでコントロールピストン３４の反対側に配置されている。そして、斜板１５における回転軸３に対してコントロールピストン３４側の部分は、回転軸３の軸方向に垂直な軸に対してコントロールピストン３４側に傾いている。
【００３６】
斜板１５が最小傾角から最大傾角に変化するときは、バネ３０の付勢力によってバネ内蔵用中空ピストン２７がバネ受け凹状部材２４に対して斜板１５側に摺動する。すると、バネ内蔵用中空ピストン２７が突起部２３を介して斜板１５を押圧し、斜板１５が突起部２１を介してコントロールピストン３４を押圧する。これにより、斜板１５が最大傾角となり、可変容量型ピストンポンプ１の吐出量が最大量となる。
【００３７】
一方、斜板１５が最大傾角から最小傾角に変化するときは、制御弁３５によってユニット壁部３３の底部とコントロールピストン３４との間に作動油が流入される。すると、コントロールピストン３４が突起部２１を介して斜板１５を押圧し、斜板１５が突起部２３を介してバネ内蔵用中空ピストン２７を押圧する。このため、バネ３０の付勢力に抗してバネ内蔵用中空ピストン２７がバネ受け凹状部材２４に対して斜板１５の反対側に摺動する。これにより、斜板１５の傾角が小さくなり、可変容量型ピストンポンプ１の吐出量が減少する。
【００３８】
そして、バネ内蔵用中空ピストン２７の先端（開放端）がバネ受け凹状部材２４の固定部２５の内壁面に当たると、斜板１５が最小傾角となり、可変容量型ピストンポンプ１の吐出量が最小量となる。
【００３９】
以上のように本実施形態にあっては、フロントハウジング４の内壁面に取り付けられたバネ受け凹状部材２４と、斜板１５と当接すると共にバネ受け凹状部材２４に対して摺動可能となるように設けられ、斜板１５と対向する端面の反対側が開放されたバネ内蔵用中空ピストン２７と、バネ内蔵用中空ピストン２７内に収容され、斜板１５を最大傾角側に付勢するバネ３０とを備えた付勢機構３６を設け、バネ３０の一端がバネ受け凹状部材２４の底面に当接し、バネ３０の他端がバネ内蔵用中空ピストン２７の内壁面に当接した構成となっている。
【００４０】
このような構成において、斜板１５が最小傾角と最大傾角との間で変化するときは、バネ内蔵用中空ピストン２７がバネ受け凹状部材２４に対して摺動すると共に、バネ３０が伸縮する。このとき、斜板１５の傾角が変化することで、バネ３０の斜板１５側部分がポンプ上下方向に曲がろうとする。しかし、バネ３０の斜板１５側部分がバネ内蔵用中空ピストン２７の円筒部２９に拘束されるため、ポンプ上下方向に対するバネ３０の斜板１５側部分の曲がりが抑制される。これにより、斜板１５の傾角が変化したときに、バネ３０に無理な応力がかかることが防止される。その結果、バネ３０の破損を防ぐことができる。
【００４１】
また、付勢機構３６は、回転軸３に対してコントロールピストン３４と同じ側であるピストン１１の上死点側に配置されている。このため、バネ３０の付勢力による斜板１５の押圧動作及びバネ３０の付勢力に抗したコントロールピストン３４の押圧動作が行いやすくなる。
【００４２】
さらに、バネ内蔵用中空ピストン２７の当接部２８に流通孔３１を設けたので、バネ受け凹状部材２４に対してバネ内蔵用中空ピストン２７が摺動するときは、その摺動方向に応じてバネ内蔵用中空ピストン２７の内外間で作動油が流通孔３１を通って移動する。従って、バネ内蔵用中空ピストン２７をバネ受け凹状部材２４に対してスムーズに摺動させることができる。このとき、流通孔３１の径を変えることで、バネ内蔵用中空ピストン２７の摺動速度（応答速度）を調整することができる。
【００４３】
また、バネ内蔵用中空ピストン２７と当接する突起部２３を斜板１５に設けたので、バネ３０の付勢力によりバネ内蔵用中空ピストン２７が突起部２３を介して斜板１５を押圧する。このとき、突起部２３の形状は断面略半円形状であるため、突起部２３の摩耗を低減することができる。また、突起部２３の形状が断面略半円形状であるため、斜板１５の傾角が変化したときに、突起部２３がバネ内蔵用中空ピストン２７の流通孔３１に引っ掛かりにくい。
【００４４】
さらに、付勢機構３６は、バネ内蔵用中空ピストン２７の先端をバネ受け凹状部材２４の固定部２５に当接させることで、斜板１５の最小傾角を規制している。即ち、バネ内蔵用中空ピストン２７が斜板１５の最小傾角を規制するストッパ部材として機能する。ここでは、バネ内蔵用中空ピストン２７の先端がバネ受け凹状部材２４の固定部２５に当接した時の斜板１５の傾角（最小傾角）を０度よりも大きくしたので、最小傾角で可変容量型ピストンポンプ１を動作させた時においても、斜板１５に最大傾角側への復帰モーメントを発生させることができる。また、斜板１５の最小傾角が規制されるので、ハンチングを発生させること無く、可変容量型ピストンポンプ１を動作させることができる。よって、エンジンのアイドリング時における作動油の流量を確保することができる。
【００４５】
図３は、本発明に係る可変容量型ピストンポンプの一実施形態を示す概略断面図である。本実施形態は、付勢機構の配置箇所が上記実施形態と異なっている。
【００４６】
同図において、本実施形態の可変容量型ピストンポンプ１は、上記の斜板１５を備えている。斜板１５の下側縁部（回転軸３に対してコントロールピストン３４とは反対側の縁部）近傍には、斜板１５の後側に開口した凹部１５ｃが形成されている。凹部１５ｃには、円柱状のコロ２２が収容されている。これにより、斜板１５には、後側に突出した断面円形状の突起部２３が設けられた構成となっている。
【００４７】
メインハウジング５の下部（回転軸３に対してコントロールピストン３４とは反対側の部分）には、前側（斜板１５側）に開口したバネ受け凹部４０が設けられている。バネ受け凹部４０内には、上記のバネ内蔵用中空ピストン２７が挿入されている。バネ内蔵用中空ピストン２７は、斜板１５と当接すると共に、バネ受け凹部４０の側面に対して摺動可能となるように設けられている。バネ内蔵用中空ピストン２７は、斜板１５と対向する端面の反対側が開放されるように構成されている。
【００４８】
バネ内蔵用中空ピストン２７内には、上記のバネ３０が収容されている。バネ３０の一端は、バネ受け凹部４０の底面に当接している。バネ３０の他端は、バネ内蔵用中空ピストン２７の当接部２８の内壁面に当接している。
【００４９】
ここで、バネ受け凹部４０、バネ内蔵用中空ピストン２７及びバネ３０は、付勢機構４１を構成している。
【００５０】
斜板１５が最小傾角と最大傾角との間で変化するときの動作は、上記実施形態と同様である。
【００５１】
本実施形態においては、ポンプハウジング２内における斜板１５の前方上側領域においてスペース的に余裕が無く、ポンプハウジング２内における斜板１５の後方下側領域においてスペース的に余裕がある場合に効果的である。
【００５２】
なお、本発明は、上記実施形態に限定されるものではない。例えば上記実施形態では、バネ内蔵用中空ピストン２７の当接部２８の中央部に、バネ内蔵用中空ピストン２７の内外間で作動油を流通させるための断面円形状の流通孔３１が設けられているが、流通孔３１の形成位置としては、当接部２８の中央部からずれた位置でもよく、或いはバネ内蔵用中空ピストン２７の円筒部２９でもよい。また、流通孔３１の形状としては、断面矩形状等であってもよい。
【００５３】
また、上記実施形態では、斜板１５の凹部１５ｃに円柱状のコロ２２が収容されることで、斜板１５に断面略半円形状の突起部２３が設けられた構成となっているが、バネ内蔵用中空ピストン２７の流通孔３１に突起部２３が引っ掛かることが無ければ、斜板１５の凹部１５ｃに球状のコロを収容してもよい。また、突起部２３を斜板１５と一体で形成してもよい。さらに、斜板１５の傾角を変化させる動作に与える影響が少ないような場合には、突起部２３の形状を断面矩形状等としてもよい。
【００５４】
さらに、上記実施形態では、バネ内蔵用中空ピストン２７の先端（開放端）がバネ受け凹状部材２４の固定部２５の内壁面に当たる状態にあるときの斜板１５の最小傾角が０度よりも大きくなっているが、可変容量型ピストンポンプ１を動作させることが可能であれば、斜板１５の最小傾角を０度以下としてもよい。
【００５５】
また、上記実施形態は、作動油の吸入及び吐出を行う可変容量型ピストンポンプ１についてであるが、本発明は、作動流体として油以外の液体を使用する可変容量型ピストンポンプにも適用可能である。
【符号の説明】
【００５６】
１…可変容量型ピストンポンプ、２…ポンプハウジング、３…回転軸、４…フロントハウジング、８…シリンダブロック、１１…ピストン、１５…斜板、２３…突起部、２４…バネ受け凹状部材（バネ受け凹部）、２５…固定部、２７…バネ内蔵用中空ピストン、２８…当接部、３０…バネ、３１…流通孔、３２…コントロールピストンユニット、３４…コントロールピストン、３６…付勢機構、４０…バネ受け凹部、４１…付勢機構。
【図１】
2016037924.tif 000003
【図２】
2016037924.tif 000004
【図３】
2016037924.tif 000005